(57)【要約】　　　（修正有）【課題】ドライバーでネジを締める際に、ネジに対し、ビットを押し付ける方向に容易に強い力を加えることができ、老人や子供などの非力な作業者にも増し締め作業が容易に行える回転工具を提供する。【解決手段】握持体１にビット体２を突設した回動工具であって、前記ビット体２は、握持体１の長さ方向に突出する倒伏状態から該握持体１の長さ方向に対して所定角度で突出する起立状態となるように擺動自在に構成されたものである。【選択図】　　　　図１
2004001146.tif 000002
【特許請求の範囲】
【請求項１】
握持体にビット体を突設した回動工具であって、前記ビット体は、握持体の長さ方向に突出する倒伏状態から該握持体の長さ方向に対して所定角度で突出する起立状態となるように擺動自在に構成されていることを特徴とする回動工具。
【請求項２】
請求項１記載の回動工具において、前記ビット体は、握持体の長さ方向に対して略０度の角度で突出する倒伏状態から、略９０度の角度で突出する起立状態となるまで擺動するように構成されていることを特徴とする回動工具。
【請求項３】
請求項１，２いずれか１項に記載の回動工具において、前記ビット体は、ビットと該ビットを装着し得るビット装着部とから成ることを特徴とする回動工具。
【発明の詳細な説明】
【０００１】
【発明の属する技術分野】
本発明は、回動工具に関するものである。
【０００２】
【従来の技術及び発明が解決しようとする課題】
従来から、握持体の先端部にビットを突設して成るドライバーが提案されているが、この従来から提案されるドライバーでは、ネジ締め作業における仕上げ作業としての増し締め作業が良好に行えない場合がある。
【０００３】
即ち、この増し締め作業は、ネジに対してビットを強く押し付けながら握持体を捻ることで行われるが、この従来から提案されるドライバーであると、握持体を捻りながらネジに対してビットを押し付ける方向へ強い力が入れにくい為、例えば子供や老人などの非力な作業者が使用する際、うまく増し締め作業が行えない場合があり、無理にねじ込もうとした結果、この押し付け力が弱いためにネジ溝を潰してしまう（なめてしまう）場合がある。
【０００４】
本発明は、上述の問題点を解決する極めて商品価値の高い画期的な回動工具を提供することを目的とする。
【０００５】
【課題を解決するための手段】
添付図面を参照して本発明の要旨を説明する。
【０００６】
握持体１にビット体２を突設した回動工具であって、前記ビット体２は、握持体１の長さ方向に突出する倒伏状態から該握持体１の長さ方向に対して所定角度で突出する起立状態となるように擺動自在に構成されていることを特徴とする回動工具に係るものである。
【０００７】
また、請求項１記載の回動工具において、前記ビット体２は、握持体１の長さ方向に対して略０度の角度で突出する倒伏状態から、略９０度の角度で突出する起立状態となるまで擺動するように構成されていることを特徴とする回動工具に係るものである。
【０００８】
また、請求項１，２いずれか１項に記載の回動工具において、前記ビット体２は、ビット２Ａと該ビット２Ａを装着し得るビット装着部３とから成ることを特徴とする回動工具に係るものである。
【０００９】
【発明の作用及び効果】
本発明は、例えばネジの螺入作業を行う場合、ネジをある程度のところまで螺入させる際には、ビット体２を握持体１の長さ方向に突出する倒伏状態として行い、増し締め作業に際しては、ビット体２を握持体１に対して擺動させ、該ビット体２を握持体１の長さ方向に対して所定角度で突出する起立状態として行う。
【００１０】
即ち、ビット体２を握持体１の長さ方向に突出する倒伏状態とした際には、通常のドライバーのようにネジを早回しすることができる。また、この倒伏状態のビット体２を握持体１に対して擺動させ、ビット体２を握持体１の長さ方向に対して所定角度で突出する起立状態とすると、握持体１を握って手のひらで押すようにして、ネジに対してビット体２を押し付けながら握持体１を捻ることができ、よって、ネジに十分な押し付け力を与えながら回動させることができて増し締め作業が簡易且つ良好に行えることになる。
【００１１】
従って、ビット体２を握持体１に対して擺動動作させるだけで、一つで早回しも増し締めも迅速且つ良好に行える回動工具となる。
【００１２】
【発明の実施の態様】
図面は本発明の一実施例を図示したものであり、以下に説明する。
【００１３】
本実施例は、握持体１にビット体２を突設した回動工具であって、前記ビット体２は、握持体１の長さ方向にして略０度の角度で突出する倒伏状態から該握持体１の長さ方向に対して略９０度の角度で突出する起立状態となるように擺動自在に構成されたものである。
【００１４】
以下、本実施例に係る構成各部について詳細な説明をする。
【００１５】
握持体１は、適宜な合成樹脂製の部材で形成したものであり、具体的には、適宜な硬質の合成樹脂（ＰＰ樹脂）から成る硬質部１Ａと、この硬質部１Ａと積層形成され、軟質の合成樹脂（特殊ゴム質素材）から成る軟質部１Ｂとで構成されている。
【００１６】
また、握持体１は、その先端部から略中央部までの位置に凹部６が形成されている。
【００１７】
この凹部６は、後述するビット体２に係るビット装着部３を配設するためのものであり、凹部６の先端部には、握持体１の長さ方向に開口する第一開口部６Ａが設けられ、一方、凹部６の後端部には、握柄体１の長さ方向に対して直交する方向に開口する第二開口部６Ｂが設けられている。
【００１８】
この第一開口部６Ａ及び第二開口部６Ｂは、夫々断面円形状に形成されており、第一開口部６Ａは、握持体１の長さ方向に倒伏状態としたビット装着部３を保持し、第二開口部６Ｂは、握持体１の長さ方向と直交する方向に起立状態としたビット装着部３を保持し得るように構成されている。
【００１９】
また、凹部６は、その開口縁にして第一開口部６Ａ，第二開口部６Ｂ間に位置する左右開口縁６ａ，６ｂを内方に突出形成しており、この左右開口縁６ａ，６ｂは、前述した軟質部１Ｂで構成され、握持体１に対してビット装着部３を擺動させて該ビット装着部３が第一開口部６Ａ，第二開口部６Ｂ間を移動している間は該ビット装着部３を弾性押圧による挟み込み挟持状態となり、この左右開口縁６ａ，６ｂの挟み込み挟持によりビット装着部３は握持体１に対して所定角度で保持されるように構成されている。
【００２０】
この内方へ突出する左右開口縁６ａ，６ｂは、ビット装着部３を擺動しにくくして第一開口部６Ａ及び第二開口部６Ｂにおいて確実に保持することに貢献することは勿論、狭い作業環境でも良好な増し締め作業が行えることに貢献する。
【００２１】
即ち、例えばネジを螺着する作業場所が狭くて、握持体１に対してビット体２を９０度擺動させて完全に起立状態とすると工具が入らない場合であっても、握持体１の長さ方向に対して所定角度、例えば４５度で突出する起立状態に設定することで、握持体１は斜めにしてその作業場所に配設し得ることになり、よって、狭い作業環境であっても良好な増し締めが行える状態が得られることになる。
【００２２】
また、凹部６の底面には凹条６ｃが形成されており、この凹条６ｃに回り止め状態で嵌合配設される連結部材７を介して凹部６内にはビット装着部３が配設されている。
【００２３】
ビット体２は、断面六角形状の杆部材から成るビット２Ａと該ビット２Ａを装着し得るビット装着部３で構成されている。
【００２４】
ビット２Ａの先端部にはプラスビット部２ａが形成され、後端部には図示省略のマイナスビット部が形成されている。尚、本実施例のようにビット２Ａの端部に形成されるものとしてはプラスビット部２ａやマイナスビット部に限らず、例えば折釘、ヒートン回しに使用できる嵌合凹溝部を形成するなど本実施例の特性を発揮し得る構成であれば適宜採用するものである。
【００２５】
ビット装着部３は、適宜な金属製の部材で形成したものであり、握持体１に固定する固定部４に枢着連結され、前記ビット２Ａを保持するビット保持筒５で構成されている。
【００２６】
このビット保持筒５は、その先端部に六角孔５ａが形成されており、ビット２Ａを着脱自在に嵌挿連結し得るように構成され、その基端部に前述した固定部４に嵌挿枢着される凸部５ｂが形成されている。
【００２７】
また、ビット保持筒５は、その先端部に図示省略の鋼球が配設されており、この鋼球は、外側から発条９に押圧されてビット２Ａに押接し得るように構成されている。従って、六角孔５ａに嵌挿したビット２Ａは抜けにくい状態で保持されることとなる。
【００２８】
また、固定部４は、握持体１の凹部６内に連結部材７を介して回り止め状態にして抜け止め状態に配設されている。
【００２９】
また、固定部４は、その先端部にビット保持筒５の基端部に被嵌する凹部４ａが形成され、この凹部４ａをビット保持筒５の基端部に被嵌して止着杆８により枢着連結されるように構成されている。
【００３０】
以上の構成からなる本実施例に係る回動工具は、ビット装着部３にビット２Ａを装着した状態として適宜ビット体２を図６中ａ方向に擺動させることで、通常のドライバーとして使用したり、或いは、Ｔ字型のハンドル付ドライバーとして増し締め作業に使用することができる。
【００３１】
よって、本実施例によれば、ビット体２を握持体１に対して起伏動作させるだけで、一つで早回しも増し締めも迅速且つ良好に行えることになる。
【００３２】
また、本実施例は、ビット体２は、握持体１の長さ方向に対して略０度の角度で突出する倒伏状態から、略９０度の角度で突出する起立状態となるまで擺動するように構成されているから、最も力の入れ易い状態が得られることになる。
【００３３】
また、本実施例は、ビット２Ａを着脱自在に装着し得るビット装着部３を握持体１に設けたから、ビット２Ａを適宜交換することができ種々の使用場面に対応することができることになる。
【００３４】
尚、本発明は、本実施例に限られるものではなく、各構成要件の具体的構成は適宜設計し得るものである。
【図面の簡単な説明】
【図１】本実施例を示す斜視図である。
【図２】本実施例に係る要部を示す平面図である。
【図３】本実施例に係る要部を示す断面図である。
【図４】本実施例に係る要部を示す断面図である。
【図５】本実施例に係る要部の概略動作説明図である。
【図６】本実施例に係る要部の概略動作説明図である。
【符号の説明】
１　握持体
２　ビット体
２Ａ　ビット
３　ビット装着部
【図１】
2004001146.tif 000003
【図２】
2004001146.tif 000004
【図３】
2004001146.tif 000005
【図４】
2004001146.tif 000006
【図５】
2004001146.tif 000007
【図６】
2004001146.tif 000008